(57)【特許請求の範囲】
【請求項１】
光を発生するための光源部を有するバックライトアセンブリと、
前記バックライトアセンブリから光の提供を受けて映像をディスプレーするための液晶表示パネルと、
前記バックライトアセンブリ及び前記液晶表示パネルを順次に納めて、前記光源部が収納されて位置する一側から対向する他の一側に進行するほど厚さが薄くなるように形成されたモールドフレームと、
前記液晶表示パネルの外部に形成され、前記液晶表示パネルを駆動するための液晶表示パネル駆動信号を生成する液晶表示パネル駆動回路部と、を含み、
前記液晶表示パネルは、前記液晶表示パネル駆動信号を前記液晶表示パネルに転送するソース印刷回路基板を含み、
前記液晶表示パネル駆動回路部は、前記ソース印刷回路基板と分離されており、前記ソース印刷回路基板は前記モールドフレームの厚さが薄い側に配置されることを特徴とする液晶表示装置。
【請求項２】
前記モールドフレームと対向するように結合されて前記バックライトアセンブリ及び前記液晶表示パネルを密着させ、前記光源部が収納されて位置する一側から対向する他の一側に進行するほど厚さが薄くなるように形成されるシャーシを含むことを特徴とする請求項１に記載の液晶表示装置。
【請求項３】
前記光源部から遠くなるほど薄い厚さを有するように形成されて前記光源部からの光を前記液晶表示パネルにガイドするための導光板を有することを特徴とする請求項２に記載の液晶表示装置。
【請求項４】
前記シャーシ及び前記モールドフレームは前記導光板の形状に対応して前記光源部が位置する一側から対向する一側に進行するほど厚さが薄く形成されることを特徴とする請求項３に記載の液晶表示装置。
【請求項５】
光を発生するための光源部を有するバックライトアセンブリと、信号を転送するためのソース印刷回路基板を有して、前記バックライトアセンブリから光の提供を受けて映像をディスプレーするための液晶表示パネルと、前記バックライトアセンブリ及び前記液晶表示パネルを順次に収納して、前記光源部が収納されて位置する一側から対向する他の一側に進行するほど厚さが薄くなるように形成されたモールドフレームと、前記モールドフレームと対向するように結合されて前記バックライトアセンブリ及び前記液晶表示パネルを前記モールドフレームに密着させて、前記光源部が収納されて位置する一側から対向する他の一側に進行するほど厚さが薄くなるように形成されたシャーシと、を有する液晶表示モジュールと、
前記液晶表示パネルを駆動するための液晶表示パネル駆動信号を生成して、前記液晶表示パネル駆動信号を前記ソース印刷回路基板を通じて前記液晶表示パネルに提供するための液晶表示パネル駆動回路部を有する情報処理モジュールと、を含み、
前記ソース印刷回路基板は前記モールドフレームの厚さが薄い側に配置されることを特徴とする情報処理装置。
【請求項６】
前記液晶表示パネル駆動回路部と前記ソース印刷回路基板とを電気的に連結するための可撓性印刷回路基板をさらに含むことを特徴とする請求項５に記載の情報処理装置。
【請求項７】
前記可撓性印刷回路基板は前記液晶表示パネル駆動回路部から延びた第１可撓性印刷回路基板と、前記ソース印刷回路基板から延びた第２可撓性印刷回路基板とを含み、前記第１及び第２可撓性印刷回路基板は前記バックライトアセンブリと前記モールドフレームとの間、又は前記情報処理モジュールの内部空間のうちのある一側で電気的に結合されることを特徴とする請求項６に記載の情報処理装置。
【請求項８】
前記可撓性印刷回路基板と前記ソース印刷回路基板とは異方性導電フィルムまたは鑞のうちのいずれかによって電気的に結合されることを特徴とする請求項６に記載の情報処理装置。
【請求項９】
前記情報処理モジュールは、制御信号を発生するための中央処理装置と、前記中央処理装置からの制御信号に応答してデータを貯蔵または出力するための貯蔵手段と、前記中央処理装置からの制御信号に応答して画像データを処理して前記液晶表示パネル駆動回路部に提供するための信号処理手段とをさらに含むことを特徴とする請求項５に記載の情報処理装置。
【請求項１０】
前記情報処理モジュールは前記モールドフレームの背面に密着されることを特徴とする請求項９に記載の情報処理装置。
【請求項１１】
前記液晶表示モジュール及び前記情報処理モジュールは互いに対向して密着されるフロントケースとリアケースとの間に固定して収納されることを特徴とする請求項１０に記載の情報処理装置。
【請求項１２】
前記貯蔵装置はロム、ラム、ハードディスクドライブそして光ディスクのうちの少なくとも一つからなることを特徴とする請求項９に記載の情報処理装置。
【請求項１３】
前記情報処理モジュールは、外部の情報処理モジュールとデータを交換するためのインタフェーシング手段と、サウンドを再生及び録音するためのサウンド制御手段と、外部との通信を遂行するための通信手段とをさらに含むことを特徴とする請求項９に記載の情報処理装置。
【請求項１４】
前記情報処理モジュールは、前記液晶表示パネル駆動回路部と電気的に結合されて前記液晶表示装置の外部から提供されるアナログ映像信号をデジタル映像信号に変換して前記液晶表示パネル駆動回路部に提供するための信号変換手段をさらに含むことを特徴とする請求項５に記載の情報処理装置。
【請求項１５】
前記液晶表示モジュールは、前記モールドフレームの背面に密着される補強ブラケットをさらに含むことを特徴とする請求項１４に記載の情報処理装置。
【請求項１６】
前記情報処理モジュールは、前記液晶表示パネル駆動回路部と共に前記モールドフレームの背面に前記データ信号転送フィルムが折曲されて前記補強ブラケットに固定結合されることを特徴とする請求項１５に記載の情報処理装置。
【請求項１７】
前記液晶表示モジュールはヒンジ及びラッチによって前記情報処理モジュールと結合されて、前記液晶表示モジュールで前記光源部が位置する部分は前記情報処理モジュールと前記ヒンジによって結合されて、前記光源部から遠くなるほど厚さが薄くなる部分の端部は前記情報処理モジュールと前記ラッチによって結合されることを特徴とする請求項５に記載の情報処理装置。
【発明の詳細な説明】
【０００１】
【発明の属する技術分野】
本発明は液晶表示装置に関するものであり、もう少し具体的には、情報処理機能を遂行することができて、その大きさを最小化できる液晶表示装置に関するものである。
【０００２】
【従来の技術】
近来、情報産業の発達によってコンピュータのような情報処理装置も目覚ましい発展を成し遂げている。また、情報処理装置の技術的な発展は情報処理装置から出力される情報を外部にディスプレーするモニター装置の発展につながっている。
【０００３】
大きく、モニター装置は陰極選管(ＣＲＴ：Cathode Ray Tube）の特性を利用した“ＣＲＴ型モニター装置”と、液晶(ＬＣ：Liquid Crystal）の物理的、光学的特性を応用した“液晶ディスプレーユニット型モニター装置”で分類することができる。“液晶ディスプレーユニット型モニター装置”は“ＣＲＴ型モニター装置”に比べて小型化、軽量化、低電力消費化などの特性を有するために、近来には携帯用コンピュータのディスプレー装置、デスクトップコンピュータのモニター及び高画質映像機器のモニター等に幅広く適用されている。
【０００４】
“液晶モニターの光源クーラー（Light source cooler for LCD monitor）”という題目でＬａｒｓｏｎ（ラーソン）等に許与された米国特許第５，５０２，５８２号、同じ題目でＨｏｙｔ（ホイト）等に許与された米国特許第５，７９１，７７０号、そして“液晶モニターを具備した薄型パーソナルコンピューター(Compact personal computer with LCD monitor)”という題目でＫｉｍ（キム）に許与された米国特許第５，８２５，６１４号等は前述した“液晶ディスプレーユニット型モニター装置”の具体的な例を開示している。
【０００５】
これによれば、携帯用コンピュータの一種のノートブックコンピュータはキーボードのような入力装置により入力された情報を貯蔵（格納）及び処理する本体、この本体と回動可能に結合されて本体から転送された情報をディスプレーするモニター装置を有する。
【０００６】
ノートブックコンピュータにおいて、モニター装置は液晶表示装置とケースを含んで、液晶表示装置は液晶表示パネルアセンブリ、バックライトアセンブリ、モールドフレームそしてシャーシを有する。また、液晶表示パネルアセンブリは液晶パネル、信号転送フィルム、ソース印刷回路基板、ゲート印刷回路基板及びコントロールボードを含む。
【０００７】
ここで、ソース印刷回路基板、ゲート印刷回路基板及びコントロールボードは互いに分離されて装着されて、互いの間の信号転送路を確保するためにフレキシブル（可撓性）印刷回路基板により電気的に連結される。
【０００８】
コントロールボードは映像信号によって色信号、クロック信号及び電源信号を発生して、ソース印刷回路基板はコントロールボードから転送された信号らに応答して映像を表示する動作を遂行する。
【０００９】
この時、ソース印刷回路基板にはデータラッチ部、タイミング発生部、電圧発生部などの色々な部品が実装されて駆動信号、制御信号のような信号を発生して、ゲート印刷回路基板にはソース印刷回路基板からの制御信号に応じて所定のゲート電圧を発生するゲート電圧供給部が実装される。
【００１０】
このようなソース印刷回路基板及びゲート印刷回路基板は印刷回路基板ベンディング方式で液晶表示装置に装着されて、液晶表示装置の側面で背面に折曲されてコントロールボードと連結される。したがって、液晶表示装置の厚さがソース印刷回路基板に実装された部品の厚さぐらい増加する。
【００１１】
一方、前述した情報処理装置から出力される信号らはアナログ信号であることに反して、“液晶ディスプレーユニット型モニター装置”は一般的にデジタル信号により駆動される。したがって、モニター装置は情報処理装置から出力されるアナログ信号をデジタル信号に変換するためのアナログ−デジタル変換回路ボード（analog-digital convert circuit board）を有する。
【００１２】
アナログ−デジタル変換回路ボードはコネクティング（接続用）ケーブルによりコントロール印刷回路基板と電気的に連結されて、コントロール印刷回路基板は可撓性回路基板によりソース印刷回路基板と電気的に連結される。
【００１３】
前述した可撓性回路基板及びコネクティングケーブルを通じ多量の電気信号が高速で転送されれば、各基板を電気的に連結する部材から多量の電磁波が発生されて、このような電磁波はモニター装置の品質を大きく低下させる不良要因として作用する。
【００１４】
さらに、可撓性印刷回路基板及びコネクティングケーブルは価格が非常に高いために前述した“電磁波発生”の問題点だけでなく、製品の原価が上昇される問題点を惹起する。
【００１５】
また、近来にはコンピュータシステムの本体とモニター装置を一体で結合した製品が出荷されている。しかし、これはＣＲＴ型モニター装置を採用したコンピュータシステムに限定されたことで、液晶ディスプレーユニット型モニター装置にコンピュータシステムの本体を結合した製品はまだ出荷されていない。
【００１６】
【発明が解決しようとする課題】
したがって、本発明の一つの目的は液晶表示装置の大きさを最小化できる液晶表示装置を提供するところにある。
【００１７】
本発明の他の目的は液晶表示装置の大きさが最小化された情報処理装置を提供するところにある。
【００１８】
本発明の更に他の目的は情報処理機能を有する液晶表示装置を提供するところにある。
【００１９】
【課題を解決するための手段】
前述した目的を達成するための本発明の実施例による液晶表示装置は、光を発生するための光源部を有するバックライトアセンブリと、前記バックライトアセンブリから光の提供を受けて映像を表示（ディスプレー）するための液晶表示パネルと、前記バックライトアセンブリ及び液晶表示パネルを順次に収納（格納）して、前記光源部が収納されて位置する一側から対向する他の一側に進行するほど厚さが薄くなるように形成されたモールドフレームと、前記モールドフレームと対向するように結合されて前記バックライトアセンブリ及び液晶表示パネルを前記モールドフレームに密着固定して、前記光源部が収納されて位置する一側から対向する他側に進行するほど厚さが益々薄くなるように形成されたシャーシを含む。
【００２０】
前述した目的を達成するための本発明の実施例による情報処理装置は、液晶表示パネルと、信号転送用配線パターンが形成されたソース印刷回路基板を有する液晶表示パネルアセンブリと、前記ディスプレーユニットに光を提供するためのバックライトアセンブリと、前記バックライトアセンブリ及びディスプレーユニットを収納するためのモールドフレームと、前記モールドフレームと対向するように結合されて前記バックライトアセンブリ及びディスプレーユニットを密着固定するためのシャーシを含んで、前記ソース印刷回路基板は前記液晶表示パネルを駆動するために前記モールドフレーム及びシャーシの外部から提供される液晶表示パネル駆動信号を入力されて前記液晶表示パネルに転送する。
【００２１】
前述した目的を達成するための本発明の実施例による液晶表示装置は、光を発生するための光源部を有するバックライトアセンブリと、信号を転送するためのソース印刷回路基板を有して、前記バックライトアセンブリから光の提供を受けて映像をディスプレーするための液晶表示パネルと、前記バックライトアセンブリ及び液晶表示パネルを順次に収納して、前記光源部が収納されて位置する一側から対向する他の一側に進行するほど厚さが薄くなるように形成されたモールドフレームと、前記モールドフレームと対向するように結合されて前記バックライトアセンブリ及び液晶表示パネルを前記モールドフレームに密着固定して、前記光源部が収納されて位置する一側から対向する他の一側に進行するほど厚さが薄くなるように形成されたシャーシを有する液晶表示モジュールと、前記液晶表示パネルを駆動するための駆動信号を発生して、この駆動信号を前記ソース印刷回路基板を通じ前記液晶表示パネルに提供するための液晶表示パネル駆動回路部を有する情報処理モジュールを含む。
【００２２】
前記情報処理装置は前記液晶表示パネル駆動回路部と前記ソース印刷回路基板を電気的に連結するための可撓性印刷回路基板をさらに含んで、前記可撓性印刷回路基板と前記ソース印刷回路基板は異方性導電フィルムと鑞（ソルダ）のうちのいずれかによって電気的に結合される。
【００２３】
また、前記情報処理モジュールは前記モールドフレームの背面に密着結合されて、前記液晶表示モジュール及び情報処理モジュールは互いに対向して密着結合されるフロントケースとリアケースとの間に固定するように収納される。
【００２４】
また、前記情報処理モジュールは前記液晶表示パネル駆動回路部と電気的に結合されて前記液晶表示装置の外部から提供されるアナログ映像信号をデジタル映像信号に変換して前記液晶表示パネル駆動回路部に提供するための信号変換手段をさらに含んで、前記液晶表示モジュールは前記モールドフレームの背面に密着結合される補強ブラケットをさらに含む。
【００２５】
また、前記液晶表示モジュールはヒンジ及びラッチによって前記情報処理モジュールと結合されて、前記液晶表示モジュールで光源部が位置する部分は前記情報処理モジュールと前記ヒンジによって結合されて、前記光源部から遠くなるほど厚さが薄くなる部分の端部は前記情報処理モジュールと前記ラッチによって結合される。
【００２６】
このような液晶表示装置及び情報処理装置によれば、液晶パネルを駆動するための駆動信号を発生する液晶パネル駆動回路部がコンピュータシステムの本体に実装される。したがって、シャーシ、モールドフレーム、フロント及びリアケースはバックライトアセンブリの導光板に対応される形態で製作される。前記シャーシ、モールドフレーム、フロント及びリアケースを組立てれば、前記液晶表示装置の側面厚さは光源部が収納される位置から遠くなるほど厚さが薄くなるために液晶表示装置の厚さをスリム化することができる。
【００２７】
一方、前記モールドフレームとリアケースとの間には本体に実装される情報処理モジュールを収納することもできる。このように、情報処理モジュールが液晶表示装置の内部に収納されれば、コンピュータシステムの本体とモニター装置を別途に構成する時、コンピュータシステムの本体が占有した空間を他の用途で活用できる長所がある。情報処理モジュールが前記液晶表示装置の内部空間に収納される場合、前記情報処理モジュール、液晶パネル駆動回路部及びソース印刷回路基板等は異方性導電フィルムまたは鑞などを利用して直接的に接続される。したがって、可撓性印刷回路基板のような別の連結部材を利用することによる電磁波の発生などを最小化できる。
【００２８】
以上のような本発明の目的と別の特徴及び長所などは次に参照する本発明の好適な実施例に対する以下の説明から明確になるであろう。
【００２９】
【発明の実施の形態】
以下、図面を参照して本発明の望ましい一実施例による液晶表示装置及び情報処理装置の構成をより詳細に説明する。
【００３０】
図１は本発明の望ましい一実施例による液晶表示装置を有するコンピュータシステムを示す斜視図である。
【００３１】
図１を参照すれば、携帯用コンピュータシステムの本体１００は回動部材（図示せず）によりモニター装置１１０と結合される。
【００３２】
モニター装置１１０は本体１００からの信号により駆動される液晶表示装置(以下、“ＬＣＤ”と称する）３００及び液晶表示装置３００を内蔵して保護するためのケース２００を有する。ケース２００は液晶表示装置３００の画面がディスプレーされる部分と一致するように底面が開放されたフロントケース２１０及び液晶表示装置３００を収納してフロントケース２１０と対向して結合するリアケース２２０を有する。
【００３３】
液晶表示装置３００はフロントケース２１０とリアケース２２０との間に収納されて、本体１００と液晶表示装置３００は可撓性印刷回路基板１２０により電気的に結合されて相互に信号を転送する。
【００３４】
図２は図１に図示された液晶表示装置の構成を示す分解斜視図である。
図２を参照すれば、液晶表示装置３００は収納空間が形成されたモールドフレーム３１０を有する。バックライトアセンブリ３３０はモールドフレーム３１０の収納空間に収納されて、光を発生してガイド（案内）する。液晶表示パネルアセンブリ３５０はバックライトアセンブリ３３０の上部に収納されて光の提供を受けて、画像をディスプレーする。シャーシ３７０はモールドフレーム３１０と対向するように結合されて、バックライトアセンブリ３３０及び液晶表示パネルアセンブリ３５０をモールドフレーム３１０の収納空間に密着固定させる。
【００３５】
バックライトアセンブリ３３０は光を発生するための光源部３３２と、一側断面がこの光源部３３２と密着結合されて、光源部３３２から遠くなるほどその厚さが薄くなる導光板３３１を有する。導光板３３１の下には光を反射するための反射板３３３が設置され、導光板３３１の上には光を拡散及び集光するための光学シート３３４が設置される。
【００３６】
この時、導光板３３１は光源部３３２が位置する一側とこの一側と対向する他の一側の互いに異なる厚さ、すなわち高さを有するように形成されている。言い換えれば、導光板３３１の厚さは光源部３３２が位置する一側から遠くなるほどその厚さが薄く形成される。したがって、反射板３３３及び光学シート３３４を導光板３３１の上下部に密着して設置してもバックライトアセンブリ３３０は光源部３３２が位置する一側とこの一側と対向する他の一側の高さが互いに異なるように現れる。
【００３７】
一方、液晶表示パネルアセンブリ３５０は液晶パネル３５５、液晶（図示せず）、信号転送フィルム３６０、ソース印刷回路基板３６５を有する。
【００３８】
液晶パネル３５５はゲートライン（図示せず）、データライン（図示せず）、薄膜トランジスター及び画素電極などが形成されたＴＦＴ基板３５１、前記ＴＦＴ基板３５１の上に設置されるカラーフィルター基板３５２を有する。
【００３９】
信号転送フィルム３６０はＴＦＴ基板３５１の各ゲートラインに接続されるゲート信号転送フィルム３６１及び各データラインに接続されるデータ信号転送フィルム３６３を有する。前記ゲート及びデータ信号転送フィルム３６１、３６３には各々ゲート駆動ドライブＩＣ３６２及びデータ駆動ドライブＩＣ３６４が実装されてゲート駆動信号及びデータ駆動信号を各々ＴＦＴ基板３５１のゲートライン及びデータラインに提供する。
【００４０】
一方、ソース印刷回路基板３６５にはゲート及びデータ駆動信号をゲート信号転送フィルム３６１及びデータ信号転送フィルム３６３に各々提供するための信号転送用配線パターンが形成される。ゲート及びデータ駆動信号は図１に図示されたように情報処理機能を有するコンピュータシステムの本体１００から提供される。すなわち、液晶パネル３５５を駆動するためのゲート及びデータ駆動信号を発生する液晶パネル駆動回路部１５３は本体１００に内蔵される。
【００４１】
バックライトアセンブリ３３０及び液晶表示パネルアセンブリ３５０は順次にモールドフレーム３１０の収納空間に収納され、モールドフレーム３１０と対向して結合されるシャーシ３７０によりモールドフレーム３１０に密着結合される。
【００４２】
この時、モールドフレーム３１０及びシャーシ３７０はバックライトアセンブリ３３０の光源部３３２が収納される位置から遠くなるほど収納空間の深さが浅くなるように形成される。なぜなら、一般的に、ソース印刷回路基板３６５と電気的に結合されて液晶表示パネルアセンブリ３５０の背面に折曲されて設置される液晶パネル駆動回路部１５３が本体１００に移動しながらバックライトアセンブリ３３０と液晶表示パネルアセンブリ３５０が結合された時の側面厚さが一側と他の一側が互いに異なる厚さを有するためである。
【００４３】
このように、バックライトアセンブリ３３０と液晶表示パネルアセンブリ３５０との結合時、光源部３３２が位置する一側と他側の厚さが互いに異なるにもかかわらず、モールドフレーム３１０及びシャーシ３７０の収納空間を同一な深さで形成すれば、バックライトアセンブリ３３０とモールドフレーム３１０との間に空いた空間が存在する。これによって、バックライトアセンブリ３３０及び液晶表示パネルアセンブリ３５０がモールドフレーム３１０とシャーシ３７０の内部でかたく収納されることができない。したがって、モールドフレーム３１０及びシャーシ３７０は光源部３３２が収納される位置から遠くなるほど収納空間の深さが浅くなるウェッジ形（wedge type）で形成されるものである。
【００４４】
このようにウェッジ形で形成されたモールドフレーム３１０とシャーシ３７０とを対向して結合すれば、光源部３３２の長さ方向の両側面は光源部３３２が位置する一側とこの一側に対向する他側が互いに異なる厚さを有する。また、図１に図示したように、フロントケース２１０及びリアケース２２０もモールドフレーム３１０及びシャーシ３７０に対応してウェッジ形で形成される。したがって、液晶表示装置１１０は液晶パネル駆動回路部１５３が占有していた空間だけその厚さが減少される。
【００４５】
一方、液晶パネル駆動回路部１５３を内蔵する本体１００の構成は図３に図示されたようである。
図３を参照すれば、本体１００はコントロールボード１５０を有する。コントロールボード１５０は色信号（Ｒ−Ｇ−Ｂ）、クロック信号ＣＬＫ及び同期信号ＳＹＮＣのような制御信号を発生するためのグラフィック制御部１５１、外部電源を入力されて駆動電源信号を発生するための電源供給部１５２、そして制御信号及び駆動電源信号に応答して液晶パネル用駆動信号を発生するための液晶パネル駆動回路部１５３を有する。この時、コントロールボード１５０に実装された液晶パネル駆動回路部１５３と液晶表示装置３００に内蔵されたソース印刷回路基板３６５は図１に図示されたように可撓性印刷回路基板１２０により電気的に連結される。
【００４６】
具体的に、液晶パネル駆動回路部１５３は色信号（Ｒ−Ｇ−Ｂ）をラッチして所定時間の間遅延させた後、出力するためのデータラッチ部１５４、データラッチ部１５４を通じ提供されるクロック信号ＣＬＫ及び同期信号ＳＹＮＣに応じて液晶パネル３５５の駆動に必要な制御信号を発生するためのタイミング発生部１５５、そして駆動電源信号に応じて液晶パネル３５５の必要な階調電圧及びゲートオン／オフ電圧を発生するための電圧発生部１５６を有する。
【００４７】
また、液晶パネル駆動回路部１５３からの前述した信号は可撓性印刷回路基板１２０及びソース印刷回路基板３６５を通じ液晶パネル３５５に提供される。
【００４８】
図４を参照すれば、可撓性印刷回路基板１２０は液晶パネル駆動回路部１５３から延長された第１可撓性印刷回路基板１２１とソース印刷回路基板３６５から延長された第２可撓性印刷回路基板１２２を有する。また、第１及び第２可撓性印刷回路基板１２１、１２２の延長された先端には第１及び第２コネクタ１２３、１２４が各々設置される。液晶パネル駆動回路部１５３とソース印刷回路基板３６５との間に信号転送路は第１コネクタ１２３と第２コネクタ１２４を結合することにより確保される。
【００４９】
ここで、第１コネクタ１２３及び第２コネクタ１２４の結合はバックライトアセンブリ３３０の背面、または本体１００の内部空間のうちからのどの側から遂行されても関係ない。そして、第１可撓性印刷回路基板１２１と液晶パネル駆動回路部１５３、そして第２可撓性印刷回路基板１２２とソース印刷回路基板３６５は異方性導電フィルムまたは鑞により電気的に接続されるが、この接続方法に対するより詳細な説明は後述する。
【００５０】
図５及び図６は本体１００とモニター装置１１０の結合方法を示す図面である。
図５を参照すれば、本体１００とモニター装置１１０はヒンジ１１２、１１４及びラッチ２１２、１１６によって結合される。ヒンジ１１２、１１４はモニター装置１１０の光源部３３２が位置する部分、すなわちモニター装置１１０の側面厚さが厚い側に設置されて本体１００と結合される。
【００５１】
図６に図示されたように、ヒンジ１１２、１１４はシャフト１１２ａ、１１４ａに対角線方向に一対の継ぎ翼部１１２ｂ、１１２ｃ、１１４ｂ、１１４ｃが各々結合される。モニター装置１１０はヒンジ１１２、１１４によって本体１００に固定結合され、シャフト１１２ａ、１１４ａを軸に回動される。
【００５２】
また、モニター装置１１０の側面厚さが薄い部分、すなわち光源部３３２が設置された位置と反対側の部分はラッチ２１２、１１６によって本体１００に脱着される。
【００５３】
一方、本体１００をモニター装置１１０の内部に収納することにより本体１００とモニター装置１１０を一体型で構成することもできるので、その一例が図７に図示されている。
【００５４】
図７は本発明の望ましい一実施例による情報処理機能を有する液晶表示装置を示す斜視図である。
図７を参照すれば、コンピュータシステムは基本的にキーボード４００またはマウス４０１のような入力装置と、図１に図示された本体１００で遂行される情報処理機能を遂行することができるモニター装置５００を有する。
【００５５】
これからは図７ないし図１１を参照して図７に図示された情報処理機能を有する液晶表示装置に関してより詳細に説明する。
図８は図７に図示された情報処理機能を有する液晶表示装置の内部構成を示す分解斜視図で、図９は図８に図示された情報処理モジュールが液晶表示モジュールの背面に密着結合される状態を示す状態図であり、そして、図１０及び図１１は図８に図示された情報処理機能を有する液晶表示装置の回路構成を詳細に示すブロック図である。
【００５６】
図８を参照すれば、モニター装置５００はフロントケース５１０、このフロントケース５１０と対向するように結合されて、所定深さの収納空間を有するリアケース５２０、フロントケース５１０とリアケース５２０との間に収納されて画像をディスプレーするための液晶表示装置５００を有する。
【００５７】
フロントケース５１０は四角形フレーム形状を有して、ヒンジ５１１を介在して受け板５１２上に形成される。リアケース５２０は液晶表示装置５００の回路らから発生される電磁波を遮断するためにメタル（金属）またはメタル合金のような材質で形成される。
【００５８】
液晶表示装置５００は液晶表示モジュール５３０及び液晶表示モジュール５３０と電気的に結合されて、液晶表示モジュール５３０の背面、すなわち液晶表示モジュール５３０とリアケース５２０との間に収納される情報処理モジュール５４０を有する。
【００５９】
液晶表示モジュール５３０は液晶表示パネル５３１、ゲート及びデータ信号転送フィルム５３４、５３５、及びソース印刷回路基板５３６を有する。
【００６０】
具体的に、液晶表示パネル５３１は薄膜トランジスター、画素電極、ゲートライン及びデータラインで形成されるＴＦＴ基板５３２を有する。ＴＦＴ基板５３２の上にはＴＦＴ基板５３２の画素電極と対向するように共通電極及びＲ−Ｇ−Ｂ画素で構成されるカラーフィルター基板５３３が形成される。また、図面には図示されなかったが、ＴＦＴ基板５３２とカラーフィルター基板５３３との間には電界によって配列が変わることにより光の透過度が変化する液晶が層を成している。
【００６１】
ＴＦＴ基板５３２のゲート及びデータラインには各々ゲート信号転送フィルム５３４及びデータ信号転送フィルム５３５の出力端子が異方性導電フィルムにより接続される。そして、データ信号転送フィルム５３５の入力端子には信号転送用配線パターンが形成されたソース印刷回路基板５３６の一側端部が接続される。
【００６２】
ソース印刷回路基板５３６の他の側の端部には図３で説明されたような機能を遂行する液晶パネル駆動回路部５３７が電気的に接続されて、液晶パネル駆動回路部５３７には情報処理モジュール５４０が電気的に接続される。液晶パネル駆動回路部５３７は情報処理モジュール５４０から提供される映像信号に応じてゲート及びデータ信号転送フィルム５３４、５３５に入力される駆動信号及びタイミング信号を処理する。この時、液晶パネル駆動回路部５３７により処理された駆動信号のうちからデータラインに入力されるデータ駆動信号はソース印刷回路基板５３６を通じデータ信号転送フィルム５３５に入力される。また、液晶パネル駆動回路部５３７により処理された駆動信号のうちからゲートラインに入力されるゲート駆動信号はソース印刷回路基板５３６及びデータ信号転送フィルム５３５を通過した後、ＴＦＴ基板５３２に形成された信号転送用パターンを通じゲート信号転送フィルム５３４に提供される。
【００６３】
前述したように、ゲート駆動信号を液晶パネル駆動回路部５３７、ソース印刷回路基板５３６、データ信号転送フィルム５３５、ＴＦＴ基板５３２そしてゲート信号転送フィルム５３４を順次に経由してゲートラインに転送する方法は、ゲート印刷回路基板の素子を液晶パネル駆動回路部５３７に実装し、ゲート印刷回路基板の配線パターンをＴＦＴ基板５３２に形成した後、ゲート印刷回路基板を省略する“ワンチップ（one-chip）化技術”により具現される。同じ方法で、ソース印刷回路基板５３６の素子らも液晶パネル駆動回路部５３７に実装されて、ソース印刷回路基板５３６には信号転送用配線パターンだけが形成される。このようなワンチップ化技術は図２に図示された液晶表示パネルアセンブリ３５０にも同一に適用される。
【００６４】
一方、図８には図示されなかったが、液晶表示パネル５３１とリアケース５２０との間には図２に図示されたように、バックライトアセンブリ３３０とモールドフレーム３１０が順次に介在される。また、液晶表示パネル５３１とフロントケース５１０との間には図２に図示されたようなシャーシ３７０が介在されてモールドフレーム３１０と対向して結合される。
【００６５】
図９を参照すれば、前述したように液晶パネル駆動回路部５３７と接続された情報処理モジュール５４０はデータ信号転送フィルム５３５が折曲されながら液晶パネル駆動回路部５３７と共に液晶表示パネル５３１の背面でモールドフレーム５３８に密着結合される。
【００６６】
この時、モールドフレーム５３８の上には液晶パネル駆動回路部５３７と情報処理モジュール５４０をよりかたく固定させるために補強ブラケット５３９をさらに設置することができる。
【００６７】
このように情報処理モジュール５４０を液晶表示装置５００の内部に格納（収納）すれば、情報処理モジュール５４０に含まれる部品の数によって液晶表示装置５００の厚さが全体的に厚くなることができる。しかし、図２で説明されたように、前述した情報処理モジュール５４０は導光板３３１の厚さが光源部３３２から遠くなるほど薄くなることにより形成されるモールドフレーム５３８の収納空間に収納される。また、前述したように液晶表示モジュール５３０において、ワンチップ化技術により液晶表示モジュール５３０が収容しなければならない印刷回路基板の数が減少されて、素子が集積化されるために液晶表示装置５００の厚さがほとんど増加しない。このように、情報処理モジュール５４０が液晶表示装置５００の内部に収納されれば、コンピュータシステムの本体とモニター装置を別途に構成する時、コンピュータシステムの本体が占有した空間を他の用途で活用できる長所がある。
【００６８】
図１０を参照すれば、情報処理モジュール５４０は制御信号を発生するための中央処理装置５４１、データを貯蔵（格納）または出力するための貯蔵装置５４２、画像データを処理して液晶パネル駆動回路部５３７に提供するための画像信号処理部５４３、電源を供給するための電源供給部５４５、外部の他の情報処理モジュールとデータを交換するためのインタフェーシング部５４６、そしてマルチメディア装置５４７を有する。これらはメインボード（図示せず）に形成されたデータバス５４８とコントロールバス５４９を通じデータ及び信号を転送する。ここで、貯蔵装置５４２はロム（ＲＯＭ）、ラム（ＲＡＭ）、ハードディスクドライブ及び光ディスクのうちの少なくとも一つからなる。
【００６９】
図１１を参照すれば、前述したように情報処理モジュール５４０は使用者によって機能を追加することができる。例えば、外部との通信を遂行するためのモデム５４７ａ、サウンド（音）を再生または録音するためのサウンドカード５４７ｂ及びグラフィックカード５４３などが追加されることができる。
【００７０】
一方、前述したように、液晶表示装置の内部に収納される情報処理モジュールは図１０及び図１１に図示されたような情報処理モジュール５４０の機能のうちから一部機能だけを選択的に収納することができる。
【００７１】
例えば、情報処理モジュール５４０は液晶パネル駆動回路部８４０と電気的に結合されてアナログ信号をデジタル信号に変換するアナログ−デジタルコンバーターのみでも構成できる。
【００７２】
この場合には図１２に図示されたように、アナログ−デジタルコンバーター８７０を有するモニター装置９００、キーボード６００及びマウス６０１のような入力装置の他に図８に図示された情報処理モジュール５４０のような機能を有する本体（図示せず）が別途に具備されなければならない。この時、モニター装置９００と本体（図示せず）は参照番号“６０２”で示す連結ラインによって電気的に連結される。
【００７３】
また、図１３を参照すれば、アナログ−デジタルコンバーター８７０は図９に図示された情報処理モジュール５４０と同じ方式で収納される。すなわち、アナログ−デジタルコンバーター８７０はデータ信号転送フィルム８３１の折曲により液晶パネル駆動回路部８４０と共にモールドフレーム８５０の背面に密着結合される。同様に、モールドフレーム５３８の上には液晶パネル駆動回路部８４０とアナログ−デジタルコンバーター８７０をよりかたく固定させるために補強ブラケット８６０がさらに設置される。この時、アナログ−デジタルコンバーター８７０はねじ８７１、８７２、８７３、８７４により補強ブラケット８６０に密着結合される。
【００７４】
図１３において、モニター装置９００の説明されなかった他の構成要素の機能は図８に図示された液晶表示モジュール５３０の対応する構成要素と同じ機能を遂行する。
【００７５】
一方、図９を参照すれば、情報処理モジュール５４０、液晶パネル駆動回路部５３７及びソース印刷回路基板５３６は可撓性印刷回路基板のような別の連結部材を使用せずに互いに直接的に結合される。
【００７６】
また、図１３に図示されたアナログ−デジタルコンバーター８７０、液晶パネル駆動回路部８４０及びソース印刷回路基板８３０も別の連結部材を使用せずに直接的に結合される。
【００７７】
このような結合のために、図１４に図示されたように、液晶パネル駆動回路部８４０とソース印刷回路基板８３０との間には結合端子８４２が形成される。結合端子８４２は優秀な通電力及び優れた結合力を提供する異方性導電フィルムまたは鑞等で形成される。
【００７８】
また、液晶パネル駆動回路部８４０及びソース印刷回路基板８３０には各々信号転送用配線パターン８３２、８３２ａが形成されて、信号転送用配線パターン８３２、８３２ａを通じ液晶パネル駆動回路部８４０とソース印刷回路基板８３０との間で信号が転送される。
【００７９】
一方、情報処理モジュールと液晶パネル駆動回路部の結合関係を表している図１５及び１６を参照すれば、液晶パネル駆動回路部８４０とアナログ−デジタルコンバーター８７０はソケットまたはバイティングコネクタにより電気的に連結される。
【００８０】
図１５に図示されたように、液晶パネル駆動回路部８４０とアナログ−デジタルコンバーター８７０との互いに接続される面には上部ソケット８４１と下部ソケット８７１が各々装着される。この時、上部ソケット８４１には導電性を有する多数の接触ピン８４１ａが配列されて、下部ソケット８７１には同様に導電性を有する多数の接触孔８７１ａが配列される。したがって、上部ソケット８４１と下部ソケット８７１を対向して結合すれば、液晶パネル駆動回路部８４０とアナログ−デジタルコンバーター８７０が電気的に接続される。
【００８１】
また、図１６に図示されたように、アナログ−デジタルコンバーター８７０の液晶パネル駆動回路部８４０と接続される部分にバイティングコネクタ８７４を装着してアナログ−デジタルコンバーター８７０と液晶パネル駆動回路部８４０を電気的に接続できる。この時、バイティングコネクタ８７４はニッパー形状をなすように上板８７６と下板８７５を具備する。
【００８２】
また、下板８７５の上面、すなわち、液晶パネル駆動回路部８４０と接続される部分には信号転送用配線パターン８７７が形成されて、液晶パネル駆動回路部８４０で下板８７５の信号転送用配線パターン８７７と対応される部分にも信号転送用配線パターン（図示せず）が形成される。
【００８３】
このようなバイティングコネクタ８７４を利用した液晶パネル駆動回路部８４０とアナログ−デジタルコンバーター８７０の結合方法は次の通りである。まず、液晶パネル駆動回路部８４０をバイティングコネクタ８７４の上板８７６と下板８７５との間に挿入する。次に、バイティングコネクタ８７４の上板８７６を下方に押せば、下板８７５に形成された信号転送用配線パターン８７７と液晶パネル駆動回路部８４０の信号転送用配線パターン（図示せず）が電気的に接触されて液晶パネル駆動回路部８４０とアナログ−デジタルコンバーター８７０との間に信号転送路が確保される。
【００８４】
前述したようにソケットまたはバイティングコネクタを利用して液晶パネル駆動回路部８４０とアナログ−デジタルコンバーター８７０を電気的に接続する方法は、図９に図示された液晶パネル駆動回路部５３７と情報処理モジュール５４０を電気的に接続する方法にも同一に適用される。
【００８５】
【発明の効果】
以上で説明したように、本発明による液晶表示装置及び情報処理装置によれば、液晶パネルを駆動するための駆動信号を発生する液晶パネル駆動回路部がコンピュータシステムの本体に実装される。この液晶パネル駆動回路部からの駆動信号は可撓性印刷回路基板を通じ信号転送用配線パターンが形成されたソース印刷回路基板に提供される。
【００８６】
液晶表示装置のシャーシ、モールドフレーム、フロント及びリアケースは液晶パネル駆動回路部が液晶表示装置から除去されることにより発生される液晶表示モジュールとモールドフレームとの間の空間を最小化するためにバックライトアセンブリの導光板に対応される形態で製作される。すなわち、シャーシ、モールドフレーム、フロント及びリアケースは導光板と同様に光源部が収容される位置から遠くなるほど収納空間の深さが浅くなる。
【００８７】
したがって、液晶表示モジュールを収納するようにシャーシ、モールドフレーム、フロント及びリアケースを組立てれば、液晶表示装置の側面厚さは光源部が収納される位置から遠くなるほど厚さが薄くなるために液晶表示装置の厚さをスリム化することができる。
【００８８】
一方、ワンチップ化技術により液晶表示モジュールが収容しなければならない印刷回路基板の数が順次減少されて、コンピュータシステムに適用される素子らが集積化されている趨勢に相応してモールドフレームとリアケースとの間に本体に実装される情報処理モジュールを収納することもできる。このように、情報処理モジュールが液晶表示装置の内部に収納されれば、コンピュータシステムの本体とモニター装置を別途に構成する時、コンピュータシステムの本体が占有した空間を他の用途で活用できる長所がある。
【００８９】
それだけでなく、モールドフレームとリアケースとの間にはアナログ−デジタルコンバーターのように情報処理モジュールの色々な機能のうちから一部分だけを選択的に収納することもできる。このように情報処理モジュールが液晶表示装置の内部空間に収納される場合、情報処理モジュール、液晶パネル駆動回路部及びソース印刷回路基板等は異方性導電フィルムまたは鑞などを利用して直接的に接続される。したがって、可撓性印刷回路基板のような別の連結部材を利用することによる電磁波の発生などを最小化できる反面、液晶表示装置の製品性能は極大化することができる。
【００９０】
本発明を実施例によって詳細に説明したが、本発明は実施例によって限定されず、本発明が属する技術分野において通常の知識を有するものであれば本発明の思想と精神を離れることなく、本発明を修正または変更できるであろう。
【図面の簡単な説明】
【図１】図１は本発明の望ましい一実施例による液晶表示装置を有するコンピュータシステムを示す斜視図である。
【図２】図１に図示された液晶表示装置の構成を示す分解斜視図である。
【図３】図１に図示されたコンピュータシステムの回路構成を示すブロック図である。
【図４】図１に図示された可撓性印刷回路基板の構成を示す斜視図である。
【図５】図１に図示されたコンピュータシステムの本体とモニター装置の結合状態を示す図面である。
【図６】図１に図示されたコンピュータシステムの本体とモニター装置の結合状態を示す図面である。
【図７】本発明の望ましい一実施例による情報処理機能を有する液晶表示装置を示す斜視図である。
【図８】図７に図示された情報処理機能を有する液晶表示装置の内部構成を示す分解斜視図である。
【図９】図７に図示された情報処理モジュールと液晶表示モジュールの結合関係を示す斜視図である。
【図１０】図７に図示された情報処理機能を有する液晶表示装置の回路構成を示すブロック図である。
【図１１】図７に図示された情報処理機能を有する液晶表示装置の回路構成を示すブロック図である。
【図１２】本発明の望ましい一実施例による情報処理機能を有する液晶表示装置を示す斜視図である。
【図１３】図１２に図示された情報処理機能を有する液晶表示装置の内部構成を示す斜視図である。
【図１４】図１３に図示された液晶パネル駆動回路部とソース印刷回路基板の結合構造を示す分解斜視図である。
【図１５】図１３に図示された情報処理モジュールと液晶表示モジュールの結合構造を示す図面である。
【図１６】図１３に図示された情報処理モジュールと液晶表示モジュールの結合構造を示す図面である。
【符号の説明】
１００  本体、１１０  モニター装置、１２０  可撓性印刷回路基板、１５１  グラフィック制御部、１５２  電源供給部、１５４  データラッチ部、１５５  タイミング発生部、１５６  電圧発生部、２００  ケース、２１０  フロントケース、２２０  リアケース、３００  液晶表示装置、３１０  モールドフレーム、３３０  バックライトアセンブリ、３３１  導光板、３３２  光源部、３３３反射板、３３４  光学シート、３５０  液晶表示パネルアセンブリ、３５５  液晶パネル、３６０  信号転送フィルム、３６５  ソース印刷回路基板、３７０シャーシ、４００，４０１  入力装置、５００  モニター装置、５１０  フロントケース、５１１  ヒンジ、５１２  受け板、５２０  リアケース、５３０  液晶表示モジュール、５３１  液晶表示パネル、５３２  ＴＦＴ基板、５３３  カラーフィルター基板、５３４，５３５  データ信号転送フィルム、５３６，８３０  ソース印刷回路基板、５３７  液晶表示パネル駆動回路部、５３８  モールドフレーム、５３９，８６０  補強ブラケット、５４０  情報処理モジュール、５４０ａ  アナログ−デジタルコンバーター、５４１  中央処理装置、５４２貯蔵装置、５４２ａ  ＣＤ−ＲＯＭ駆動部、５４２ｂ  ディスク駆動部、５４３  画像信号処理部、５４５  電源供給部、５４６  インタフェーシング部、５４７  マルチメディア装置、５４７ａ  モデム、５４７ｂ  サウンドカード、５４８  データバス、５４９  コントロールバス、６００  キーボード、６０１  マウス、８３１  データ信号転送フィルム、８３２，８３２ａ  信号転送用配線パターン、８４０  液晶パネル駆動回路部、８４１  上部ソケット、８４１ａ  接触ピン、８４２  結合端子、８５０  モールドフレーム、８７０  アナログ−デジタルコンバーター、８７１，８７２，８７３，８７４  ねじ、８７１  下部ソケット、８７１ａ  接触孔、８７４  バイティングコネクタ、８７５  下板、８７６  上板、９００  モニター装置
【図１】
0004401009.tif 000002
【図２】
0004401009.tif 000003
【図３】
0004401009.tif 000004
【図４】
0004401009.tif 000005
【図５】
0004401009.tif 000006
【図６】
0004401009.tif 000007
【図７】
0004401009.tif 000008
【図８】
0004401009.tif 000009
【図９】
0004401009.tif 000010
【図１０】
0004401009.tif 000011
【図１１】
0004401009.tif 000012
【図１２】
0004401009.tif 000013
【図１３】
0004401009.tif 000014
【図１４】
0004401009.tif 000015
【図１５】
0004401009.tif 000016
【図１６】
0004401009.tif 000017